(57)【要約】【課題】電装ボックス内のリード線が電装カバーと電装ケースとで噛み込む恐れをなくすることができることを目的とする。【解決手段】電装ケース１７を、外面には電装カバー１６を受ける電装カバーを受けるリブ１９を設け、側壁は電装カバー１６の内面との間に隙間を設ける高さにするという構成にしたことにより、リード線１３は、電装ボックス１８の側壁と電装カバー１６の内面との間の隙間に配置するので、電装ボックス１８内のリード線１３が電装カバー１６と電装ケース１７とで噛み込まれなくすることができる換気装置を得られる。【選択図】図３
2013148225.tif 000002
【特許請求の範囲】
【請求項１】
底面に吸込口とフランジ部を設け、  上面に通風口とを設けた箱体に、前記箱体の内部に部屋の空気を前記吸込口から吸入して前記通風口から吐出する送風ユニットと、この送風ユニットの羽根回転軸方向前面側のほぼ中央に吸込口を有し、前記通風口の天面に装着される前記送風ユニットを駆動する駆動装置と、前記送風ユニットはリード線で電源線と接続され、前記駆動装置と接続部を保護する電装カバーと電装ケースとで構成した電装ボックスを設けたものであって、前記電装ケースを、外面には電装カバーを受けるリブを設け、側壁は前記電装カバーの内面との間に隙間を設ける高さにすることを特徴とする換気装置。
【請求項２】
送風ユニットのリード線と電源線との電装ボックスへ引き込む引き込み口を前記送風ユニットの側壁の片側に寄せ、コードクリップで固定することを特徴とする請求項１に記載の換気装置。
【発明の詳細な説明】
【技術分野】
【０００１】
本発明は、天井等に設置されて換気を行う換気装置に設けられる電装ボックス内のリード線の噛み込み防止に関するものである。
【背景技術】
【０００２】
従来、この種の換気装置は、本体フレームの内部に、下面に吸込口と側面に吐出口を有したファンケーシングを設け、本体フレームとファンケーシングとの隙間に制御装置を設けて構成されたものが知られている（例えば、特許文献１参照）。
【０００３】
以下、その換気装置について図６を参照しながら説明する。
【０００４】
図６に示すように、下面に室内側に臨む開口１０１を有する箱型のフレーム１０２の内部に、下面に吸込口１０３と側面に吐出口１０４を有したケーシング１０５を設け、ケーシング１０５には、図示していないが遠心送風羽根を内蔵し、そしてフレーム１０２内のケーシング１０５下方で吸込口１０３の近傍に、室内の環境を検知するセンサーを備えた電子回路基板を収納した電装ボックスとしての制御回路ケース１０６を設けて構成されていた。
【先行技術文献】
【特許文献】
【０００５】
【特許文献１】特開平５−１０６８７９号公報
【発明の概要】
【発明が解決しようとする課題】
【０００６】
このような従来の換気装置においては、電装ボックス内のリード線が電装カバーと電装ケースとで噛み込む恐れがある、という課題を有していた。
【０００７】
そこで本発明は、上記従来の課題を解決するものであり、電装ボックス内のリード線が電装カバーと電装ケースとで噛み込む恐れをなくすることができる換気装置を提供することを目的とする。
【課題を解決するための手段】
【０００８】
そして、この目的を達成するために、本発明は、底面に吸込口とフランジ部を設け、  上面に通風口とを設けた箱体に、前記箱体の内部に部屋の空気を前記吸込口から吸入して前記通風口から吐出する送風ユニットと、この送風ユニットの羽根回転軸方向前面側のほぼ中央に吸込口を有し、前記通風口の天面に装着される前記送風ユニットを駆動する駆動装置と、前記送風ユニットはリード線で電源線と接続され、前記駆動装置と接続部を保護する電装カバーと電装ケースとで構成した電装ボックスを設けたものであって、前記電装ケースを、外面には電装カバーを受けるリブを設け、側壁は前記電装カバーの内面との間に隙間を設ける高さにすることとしたものであり、これにより所期の目的を達成するものである。
【発明の効果】
【０００９】
本発明によれば、電装ケースを、外面には電装カバーを受けるリブを設け、側壁は前記電装カバーの内面との間に隙間を設ける高さにするという構成にしたことにより、リード線は、電装ボックスの側壁と電装カバーの内面との間の隙間に配置することとなるので、電装ボックス内のリード線が上カバーと下カバーとで噛み込まれなくすることができる、という効果を得ることができる。
【図面の簡単な説明】
【００１０】
【図１】本発明の実施の形態１の換気装置の構成を示す側面構成図
【図２】同換気装置の配線を示す側面部分構成図
【図３】同換気装置の電装ボックス内の配線を示す側面構成図
【図４】本発明の実施の形態２の換気装置の電装ケースを示す正面図
【図５】同換気装置の電装ボックス内の配線を示す断面斜視図
【図６】従来の換気装置の構成を示す斜視図
【発明を実施するための形態】
【００１１】
本発明の請求項１記載の換気装置は、底面に吸込口とフランジ部を設け、  上面に通風口とを設けた箱体に、前記箱体の内部に部屋の空気を前記吸込口から吸入して前記通風口から吐出する送風ユニットと、この送風ユニットの羽根回転軸方向前面側のほぼ中央に吸込口を有し、前記通風口の天面に装着される前記送風ユニットを駆動する駆動装置と、前記送風ユニットはリード線で電源線と接続され、前記駆動装置と接続部を保護する電装カバーと電装ケースとで構成した電装ボックスを設けたものであって、前記電装ケースを、外面には電装カバーを受けるリブを設け、側壁は前記電装カバーの内面との間に隙間を設ける高さにする、という構成を有する。これにより、リード線は、電装ボックスの側壁と電装カバーの内面との間の隙間に配置することとなるので、電装ボックス内のリード線が電装カバーと電装ケースとで噛み込まれなくすることができる、という効果を奏する。
【００１２】
また、送風ユニットのリード線と電源線との電装ボックスへ引き込む引き込み口を前記送風ユニットの側壁の片側に寄せ、コードクリップで固定する、という構成にしてもよい。これにより、電源コードと送風ユニットのリード線が送風ユニットの側壁の片側で束ねて固定されることとなるので、配線の作業性が向上し作業の安定化が図れるとともに、電装ボックス内のリード線が電装カバーと電装ケースとで噛み込むまれなくすることができるとともに、リード線または電源コードが外力により引っ張られた（押し込まれた）時に、リード線または電源コードの接続部に張力が加わることを防ぐことができる、という効果を奏する。
【００１３】
以下、本発明の実施の形態について図面を参照しながら説明する。
【００１４】
（実施の形態１）
図１〜図３に示すように、室内１から天井裏２に導通する通風路３を設け、底面に吸込口４とフランジ部５を有し、上面に複数の孔を有した通風口６を設け、上部にモータ７およびモータ保持板８、内部に羽根９とで構成される送風ユニット１０、例えばプロペラファンユニットを収納した箱体、具体的には円筒状の換気装置２７と、箱体の底面の開口部２８を室内１側から覆い装着するルーバ１１、例えば格子状のルーバ１１を取り付ける構成としている。
【００１５】
そして、換気装置２７を運転すると、モータ７が駆動し羽根９が回転することとなり、吸込口４から室内１の空気が吸込まれて通風口６から天井裏２へ排出されることとなる。
【００１６】
前記通風口６の天面に装着される前記送風ユニット１０を駆動する駆動装置１２と、前記送風ユニット１０はリード線１３で電源線１４と接続され、前記駆動装置１２、例えばコンデンサーと接続部１５、例えば閉端接続やピラーターミナルを保護する電装カバー１６と電装ケース１７とで構成した電装ボックス１８を、フランジ部５の上部に設けたものであって、電装カバー１６の側壁は電装ケース１７の側壁と重なる形状をしており、雨漏り等による上方からの電装ボックス１８内への水の浸入を防ぐことができる。
【００１７】
そして、電装ケース１７を外面には電装カバー１６を受ける外側方向にリブ１９を設け、側壁は電装カバー１６の内面との間に隙間を設ける高さにする、という構成を有する。
【００１８】
これにより、リード線１３は、電装ボックス１８の側壁と電装カバー１６の内面との間の隙間に配置することとなるので、電装ボックス１８内のリード線１３が電装カバー１６と電装ケース１７とで噛み込まれなくすることができる。
【００１９】
そして、上記のように電装ボックス１８内で万一、何らかの要因により駆動装置１２または、接続部１５から発煙する事態が起こっても、電装ボックス１８が難燃材で形成されているので、その周囲の部材に類焼していくのを阻止できる。
【００２０】
（実施の形態２）
実施の形態１と同一構成のところは、同一番号を付し詳細な説明は省略する。
【００２１】
また、図４に示すように、送風ユニット１０のリード線１３と電源線１４との電装ボックス１８へ引き込む引き込み口２０を送風ユニット１０の側壁の片側に寄せ、コードクリップ２１で固定する、という構成にしてもよい。これにより、電源線１４と送風ユニット１０のリード線１３が送風ユニット１０の側壁の片側で束ねて固定されることとなるので、配線の作業性が向上し作業の安定化が図れるとともに、電装ボックス１８内のリード線１３が電装カバー１６と電装ケース１７とで噛み込むまれなくすることができるとともに、リード線１３または電源線１４が外力により引っ張られた（押し込まれた）時に、リード線１３または電源線１４の接続部１５に張力が加わることを防ぐことができる。
【００２２】
また、電装ケース１７の底面に駆動装置位置決め用リブ２２を設け、側壁で囲まれた空間に駆動装置１２を設置する、という構成にしてもよい。これにより、駆動装置位置決め用リブ２２と電装ケース１７の側壁とで接触して駆動装置１２の位置が固定されることとなるので、リード線１３や電源線１４等の配線の作業性が向上し作業の安定化が図れる。
【００２３】
さらに、図５に示すように、電装ケース１７の底に接続部１５が電装ケース１７の底面に当らないよう水切りリブ２３を設けることで万一、電装ボックス１８内に水が浸入した場合に、接続部１５への水の付着を防ぎ、トラッキング等による発煙に繋がる事象を防ぐことができる。
【００２４】
また、電装ケース１７の底に水抜き穴２４を設け、例えば水抜き穴２４は５ｍｍ以上の角穴または丸穴にし、電装ケース１７の底を水抜き穴２４が低くなるように、例えば水抜き勾配を５°以上つけ、電装ケース１７の底とフランジ部５の間に隙間をあけるため、電装ケースに脚部２５を設けることで万一、電装ボックス１８内に水が浸入した場合に、浸入した水が水抜き穴２４に集まり、水が電装ケース１７の底とフランジ部５の間に抜けるため、水が電装ケース１７内に溜らなくすることができ、接続部１５への水の付着を防ぎ、トラッキング等による発煙に繋がる事象を防ぐことができる。
【００２５】
また、前記電源線１４の電装ボックス１８への引き込み口２０の外側に電源線１４を下方に向けて留めるフック２６を設け、電装カバー１６でフック２６を覆い、引き込み口２０の外側で電源線１４が下方から上方に水を切るよう配線される事になり万一、電源線１４に水が付着しても、電源線１４を伝わって電装ボックス１８内に浸入することを防ぎ、トラッキング等による発煙に繋がる事象を防ぐことができる。
【産業上の利用可能性】
【００２６】
本発明にかかる換気装置は、小型の天井埋め込み換気扇でも送風ユニットを駆動する駆動装置を搭載し、装置と接続部を保護する電装ボックスを外面には電装カバーを受けるリブを設け、側壁は前記電装カバーの内面との間に隙間を設ける高さにすることにより、電装ボックス内のリード線が上カバーと下カバーとで噛み込まれなくすることを可能にするものであるので、小型の換気装置等に有効である。
【符号の説明】
【００２７】
１    室内
２    天井裏
３    通風路
４    吸込口
５    フランジ部
６    通風口
７    モータ
８    モータ保持板
９    羽根
１０  送風ユニット
１１  ルーバ
１２  駆動装置
１３  リード線
１４  電源線
１５  接続部
１６  電装カバー
１７  電装ケース
１８  電装ボックス
１９  リブ
２０  引き込み口
２１  コードクリップ
２２  駆動装置位置決め用リブ
２３  水切りリブ
２４  水抜き穴
２５  脚部
２６  フック
２７  換気装置
２８  開口部
【図１】
2013148225.tif 000003
【図２】
2013148225.tif 000004
【図３】
2013148225.tif 000005
【図４】
2013148225.tif 000006
【図５】
2013148225.tif 000007
【図６】
2013148225.tif 000008